(57)【特許請求の範囲】
【請求項１】
二酸化塩素を含む殺菌剤と、
前記殺菌剤を収納し、第一開口が設けられた第一容器と、
前記第一容器を収納する、第二開口が設けられた陶磁器の第二容器とを備え、
前記第一容器は、前記第一開口を規定する第一部分と、前記第一部分よりも下側に位置して前記第一開口よりも大径の第二部分と、前記第二部分よりも下側に位置して前記第二部分よりも大径の第三部分とを有し、
前記第二容器は前記第一容器を収納し、前記第二開口が設けられる本体部分と、前記第二開口に嵌まり合う蓋部分とを有し、
前記蓋部分には二酸化塩素を拡散させるための孔が設けられている、殺菌剤の拡散装置。
【請求項２】
前記第一容器は、
前記第二部分の上部に位置して前記第一開口に近づくにつれて内径が小さくなる第一縮径部分と、前記第二部分の下側に位置して前記第一開口に近づくにつれて内径が大きくなる第一拡径部分と、前記第一縮径部分と前記第一拡径部分との間に位置して円筒形状の第一円筒部分と、
前記第三部分の上部に位置して前記第一開口に近づくにつれて内径が小さくなる第二縮径部分と、前記第三部分の下側に位置して前記第一開口に近づくにつれて内径が大きくなる第二拡径部分と、前記第二縮径部分と前記第二拡径部分との間に位置して円筒形状の第二円筒部分と、
を有する、請求項１に記載の殺菌剤の拡散装置。
【請求項３】
請求項１または２に記載の殺菌剤の拡散装置を用いた殺菌剤の拡散方法であって、
前記第一開口の開きを調整することで前記第一開口からの殺菌剤の拡散量を調整する工程と、
前記第二容器に前記第一容器を収納する工程と、を備えた、殺菌剤の拡散方法。
【発明の詳細な説明】
【技術分野】
【０００１】
本発明は、花粉、塵、皮屑（ひせつ）、真菌などのアレルギー誘発物質の処理、病原菌、ウイルス、有害化学物質（たとえば、タバコ煙、ホルムアルデヒド）などの有害物質の処理、環境浄化、屋内外および食品の脱臭、防カビおよび防腐などに広く使用される二酸化塩素などの化学物質を拡散させるための容器に関する。
【背景技術】
【０００２】
二酸化塩素（ＣｌＯ2）は、強い酸化力を有していることから、花粉、塵、皮屑、真菌などのアレルギー誘発物質の処理、病原菌、ウイルス、有害化学物質（たとえば、タバコ煙、ホルムアルデヒド）などの有害物質の処理、環境浄化、屋内外および食品の脱臭、防カビおよび防腐などに広く使用される。このように広い用途に使用される有用な二酸化塩素を含有する組成物およびその製造方法が提案されている。
【０００３】
たとえば、特開平１１−２７８８０８号公報（特許文献１）は、溶存二酸化塩素ガス、亜塩素酸塩およびｐＨ調整剤を構成成分に有する純粋二酸化塩素液剤、上記純粋二酸化塩素液剤および高吸水性樹脂を含有するゲル状組成物、上記純粋二酸化塩素液剤および泡剤を含有する発泡性組成物、ならびに上記純粋二酸化塩素液剤、上記ゲル状組成物、および上記発泡性組成物を入れるための容器を提案する。
【０００４】
また、国際公開ＷＯ２００８／１１１３５８号（特許文献２）は、溶存二酸化塩素を含んだ薬剤から二酸化塩素がガスとして放出され続けても、該薬剤における二酸化塩素濃度を略一定に保持させることができる二酸化塩素用の安定化組成物であって、亜塩素酸塩とｐＨ調整剤の組み合わせからなり、ｐＨ調整剤が２５℃における５％水溶液のｐＨが２．５〜６．８となる緩衝性のある酸またはその塩である二酸化塩素用の安定化組成物を提案する。
【先行技術文献】
【特許文献】
【０００５】
【特許文献１】特開平１１−２７８８０８号公報
【特許文献２】国際公開ＷＯ２００８／１１１３５８号
【発明の概要】
【発明が解決しようとする課題】
【０００６】
従来の技術では、二酸化塩素を含む殺菌剤が入れられた容器が露出し、意匠性が悪いという問題があった。さらに、殺菌剤の安定した拡散が困難であるという問題があった。
【０００７】
そこでこの発明は、上記の問題を解消するためになされたものであり、意匠性に優れ、かつ、安定して殺菌剤を拡散させることが可能な殺菌剤の拡散装置および殺菌剤の拡散方法を提供することを目的とするものである。
【課題を解決するための手段】
【０００８】
殺菌剤の拡散装置は、二酸化塩素を含む殺菌剤と、殺菌剤を収納し、第一開口が設けられた第一容器と、第一容器を収納する、第二開口が設けられた陶磁器の第二容器とを備え、第一容器は、第一開口を規定する第一部分と、第一部分よりも下側に位置して第一開口よりも大径の第二部分と、第二部分よりも下側に位置して第二部分よりも大径の第三部分とを有し、第二容器は第一容器を収納し、第二開口が設けられる本体部分と、第二開口に嵌まり合う蓋部分とを有し、蓋部分には二酸化塩素を拡散させるための孔が設けられている。
【０００９】
このように構成された殺菌剤の拡散装置によれば、殺菌剤を収納する第一容器は、開口部分を規定する第一部分と、第一容器よりも下側に位置して開口よりも大径の第二部分と、第二部分よりも下側に大径の第三部分とを有しているため、第三部分に溜められた殺菌剤は小径の第二部分および第一開口で絞られて徐々に拡散する。その結果、殺菌剤を安定して拡散させることができる。さらに、第一容器は陶磁器の第二容器に収納されるため第一容器を外部から視認することが困難となり、殺菌剤の拡散装置の意匠性を向上させることができる。
【００１０】
好ましくは、第一容器は、第二部分の上部に位置して第一開口に近づくにつれて内径が小さくなる第一縮径部分と、第二部分の下側に位置して第一開口に近づくにつれて内径が大きくなる第一拡径部分と、第一縮径部分と第一拡径部分との間に位置して円筒形状の第一円筒部分と、第三部分の上部に位置して第一開口に近づくにつれて内径が小さくなる第二縮径部分と、第三部分の下側に位置して第一開口に近づくにつれて内径が大きくなる第二拡径部分と、第二縮径部分と第二拡径部分との間に位置して円筒形状の第二円筒部分と、を有する。
【００１１】
このように構成された殺菌剤の拡散装置においては、第一部分および第二部分が縮径部分および拡径部分を有するため第一部分および第二部分が樽形となり、第一部分および第二部分のすべてが円筒形状である場合と比較して強度が向上する。さらに第一部分の第一縮径部分と第二部分の第二拡径部分との間を把持しやすくなる。
【００１２】
上記のいずれかの殺菌剤の拡散装置を用いた殺菌剤の拡散方法は、第一開口の開きを調整することで第一開口からの殺菌剤の拡散量を調整する工程と、第二容器に第一容器を収納する工程と、を備える。
【００１３】
このように構成された殺菌剤の拡散方法においては、殺菌剤を確実に拡散させることができ、さらに意匠性を損なわない殺菌剤の拡散方法を提供することができる。
【発明の効果】
【００１４】
意匠性に優れ、かつ、安定して殺菌剤を拡散させることが可能な殺菌剤の拡散装置および殺菌剤の拡散方法を提供することができる。
【図面の簡単な説明】
【００１５】
【図１】実施の形態１に従った殺菌剤の拡散装置１０の斜視図である。
【図２】図１中のＩＩ−ＩＩ線に沿った第二容器１００の断面図である。
【図３】図１および図２で示す実施の形態１に従った殺菌剤の拡散装置１０の内部構造を示す図である。
【図４】実施の形態１で使用される第一容器１３０の斜視図である。
【図５】図４中のＶ−Ｖ線に沿った第一容器１３０の断面図である。
【図６】実施の形態２で使用される第一容器１３０の斜視図である。
【図７】図６中のＶＩＩ−ＶＩＩ線に沿った第一容器１３０の断面図である。
【図８】実施の形態１で使用される第一容器１３０の斜視図である。
【図９】図８中のＩＸ−ＩＸ線に沿った第一容器１３０の断面図である。
【発明を実施するための形態】
【００１６】
（実施の形態１）
図１は、実施の形態１に従った殺菌剤の拡散装置１０の斜視図である。図２は、図１中のＩＩ−ＩＩ線に沿った第二容器１００の断面図である。図３は、図１および図２で示す実施の形態１に従った殺菌剤の拡散装置１０の内部構造を示す図である。図４は、実施の形態１で使用される第一容器１３０の斜視図である。図５は、図４中のＶ−Ｖ線に沿った第一容器１３０の断面図である。
【００１７】
図１から図５で示すように、実施の形態１に従った殺菌剤の拡散装置１０は、二酸化塩素を含む殺菌剤１３４と、殺菌剤１３４を収納し、第一開口１３０ｈが設けられた第一容器１３０と、第一容器１３０を収納する、第二開口１００ｈが設けられた陶磁器の第二容器１００とを備える。
【００１８】
第一容器１３０は、第一開口１３０ｈを規定する第一部分１３１と、第一部分１３１よりも下側に位置して第一開口１３０ｈよりも大径の第二部分１３２と、第二部分１３２よりも下側に位置して第二部分１３２よりも大径の第三部分１３３とを有し、第二容器１００は第一容器１３０を収納し、第二開口１００ｈが設けられる本体部分１２０と、第二開口１００ｈに嵌まり合う蓋部分１１０とを有し、蓋部分１１０には二酸化塩素を拡散させるための孔１１１が設けられている。
【００１９】
第一容器１３０は、第二部分１３２の上部に位置して第一開口１３０ｈに近づくにつれて内径が小さくなる第一縮径部分１３２ｃと、第二部分１３２の下側に位置して第一開口１３０ｈに近づくにつれて内径が大きくなる第一拡径部分１３２ａと、第一縮径部分１３２ｃと第一拡径部分１３２ａとの間に位置して円筒形状の第一円筒部分１３２ｂと、第三部分１３３の上部に位置して第一開口１３０ｈに近づくにつれて内径が小さくなる第二縮径部分１３３ｃと、第三部分１３３の下側に位置して第一開口１３０ｈに近づくにつれて内径が大きくなる第二拡径部分１３３ａと、第二縮径部分１３３ｃと第二拡径部分１３３ａとの間に位置して円筒形状の第二円筒部分１３３ｂと、を有する。
【００２０】
第一容器１３０はプラスチック製である。第一容器１３０は、たとえば殺菌剤１３４に含まれる二酸化塩素と反応しないプラスチックにより構成される。第一容器１３０の第一部分１３１の外周にはネジ山が形成されている。このネジ山に蓋１４０の内周面のネジ溝が嵌まり合う。
【００２１】
蓋１４０の開口面積を変化させることで第一容器１３０から二酸化塩素が拡散する量を調整することが可能である。蓋１４０の開口面積を可変構造とすることで、開口面積を変化させることができる。第一容器１３０から殺菌剤１３４を最大量拡散させるためには、蓋１４０を取り外して使用することが可能である。
【００２２】
殺菌剤１３４としての二酸化塩素は、固体、液体、ゲル状、ゾル状などの様々な形態であってもよい。二酸化塩素の酸化力によりウイルスを死滅させることで二酸化塩素は殺菌剤１３４として作用する。殺菌剤１３４は、二酸化塩素以外の物質、たとえば二酸化塩素を安定して存在させるための物質を含んでいてもよい。
【００２３】
第一容器１３０に第二拡径部分１３３ａが存在することで、少量の殺菌剤１３４のみが第一容器１３０に存在する場合であっても殺菌剤１３４が大気と接触する面積を大きくできるので、殺菌剤１３４の拡散を促進できる。
【００２４】
第二縮径部分１３３ｃおよび第一拡径部分１３２ａが存在することで、第二縮径部分１３３ｃおよび第一拡径部分１３２ａ間に設けられるくぼみを人が持ちやすくなる。さらにこのくぼみが存在することで第一容器１３０の強度が大きくなる。
【００２５】
第二容器１００は陶磁器製である。第二容器１００を陶磁器製にすることによって、第二容器１００の外表面に模様を付することができる。その結果、殺菌剤の拡散装置１０の意匠性を向上させることができる。第二容器１００を陶磁器製とすることで第二容器１００が二酸化塩素に酸化させることを防止できる。仮に第二容器１００内で殺菌剤１３４をこぼしたとしても殺菌剤１３４が第二容器１００を腐食しない。第二容器１００の内周面は二酸化塩素によって腐食しないコーティングが施されていることが好ましい。さらに、第二容器１００に二酸化塩素が染みこまないようにするために第二容器１００内周面に孔が存在しないことが好ましい。
【００２６】
第二容器１００の本体部分１２０の上端は内側に突出したフランジ形状とされている。フランジの内周面が第二開口１００ｈを規定している。フランジを形成することで第二開口１００ｈの強度を向上させることができる。
【００２７】
フランジ上に蓋部分１１０が載置されている。蓋部分１１０には半径方向に放射状に延びる５つの孔１１１が設けられている。孔１１１の数は５つに限られず、さらに多い、または少ない孔１１１が設けられていてもよい。
【００２８】
本体部分１２０の形状は底から上がるにつれて内径が徐々に大きくなり、ある部分から内径が徐々に小さくなる形状とされている。これにより、人が第一容器１３０を把持して本体部分１２０内に載置しやすい形状とされている。
【００２９】
（実施の形態２）
図６は、実施の形態２で使用される第一容器１３０の斜視図である。図７は、図６中のＶＩＩ−ＶＩＩ線に沿った第一容器１３０の断面図である。図６および図７で示すように、実施の形態２に従った第一容器１３０は、実施の形態１に従った第一容器１３０と比較して横幅が広い。そのため、第一容器１３０内に蓄える殺菌剤１３４の量が多くなる。
【００３０】
（実施の形態３）
図８は、実施の形態３で使用される第一容器１３０の斜視図である。図９は、図８中のＩＸ−ＩＸ線に沿った第一容器１３０の断面図である。図８および図９で示すように、実施の形態３に従った第一容器１３０は、実施の形態１に従った第一容器１３０と比較して小さい。そのため、小さな第二容器１００に収納することが好ましい。
【００３１】
殺菌剤１３４の拡散方法では、殺菌剤１３４は第一容器１３０内に収納されている。第一容器１３０からの殺菌剤１３４の拡散速度は、第一開口１３０ｈの開口面積および第一容器１３０外の第二容器１００内の殺菌剤１３４の濃度で決定される。第二容器１００内の殺菌剤１３４の濃度はほぼ一定とされるため、第一容器１３０からの殺菌剤１３４の拡散速度は第一開口１３０ｈの開口面積を調整することで決定できる。
【００３２】
実施の形態に従った殺菌剤１３４の拡散装置１０を用いた殺菌剤の拡散方法は、第一開口１３０ｈの開きを調整することで第一開口１３０ｈからの殺菌剤１３４の拡散量を調整する工程と、第二容器１００に第一容器１３０を収納する工程と、を備える。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３４】
この発明は、殺菌剤の拡散装置および拡散方法の分野において用いることができる。
【符号の説明】
【００３５】
１０  拡散装置、１００  第二容器、１００ｈ  第二開口、１１０  蓋部分、１１１  孔、１２０  本体部分、１３０  第一容器、１３０ｈ  第一開口、１３１  第一部分、１３２  第二部分、１３２ａ  第一拡径部分、１３２ｂ  第一円筒部分、１３２ｃ  第一縮径部分、１３３  第三部分、１３３ａ  第二拡径部分、１３３ｂ  第二円筒部分、１３３ｃ  第二縮径部分、１３４  殺菌剤、１４０  蓋。
【要約】
【課題】意匠性に優れ、かつ、安定して殺菌剤を拡散させることが可能な殺菌剤の拡散装置および殺菌剤の拡散方法を提供する。
【解決手段】殺菌剤の拡散装置１０は、二酸化塩素を含む殺菌剤と、殺菌剤を収納し、第一開口が設けられた第一容器１３０と、第一容器１３０を収納する、第二開口が設けられた陶磁器の第二容器１００とを備える。第一容器１３０は、第一開口を規定する第一部分と、第一部分よりも下側に位置して第一開口よりも大径の第二部分と、第二部分よりも下側に位置して第二部分よりも大径の第三部分とを有し、第二容器１００は第一容器１３０を収納し、第二開口が設けられる本体部分１２０と、第二開口に嵌まり合う蓋部分１１０とを有し、蓋部分１１０には二酸化塩素を拡散させるための孔１１１が設けられている。
【選択図】図３【図１】
0006656649.tif 000002
【図２】
0006656649.tif 000003
【図３】
0006656649.tif 000004
【図４】
0006656649.tif 000005
【図５】
0006656649.tif 000006
【図６】
0006656649.tif 000007
【図７】
0006656649.tif 000008
【図８】
0006656649.tif 000009
【図９】
0006656649.tif 000010